(57)【特許請求の範囲】
【請求項１】
使用者の頭部に装着して使用される呼吸装置において、
前記呼吸装置を前記使用者の顔面に密着させるのに使用する装着面を与えるマスクと、
前記マスクに加圧された呼吸用ガスを供給するための手段と、
前記マスクと機能的に結合する一対の末端部を与える伸縮可能で、かつ選択的に膨張収縮可能なストラップ要素とからなり、
前記ストラップ要素が膨張すると使用者の頭部に容易に装着できるよう拡大された形状となり、
前記ストラップ要素が収縮すると初期位置（ストラップ要素が収縮した直後の、マスクの装着面に対する、ストラップ要素の一つの端末部の位置）に移動して使用者の頭部に締め付けるようになり、それによって前記マスクが使用者の顔面に密着するように引き寄せられる性質を有する呼吸装置であって、
前記呼吸装置の装着感調節装置が、マスクによる使用者の顔面への圧迫力を減少させるよう改善されており、
前記装着感調節装置が前記ストラップ要素末端部のうち少なくとも一つの末端部を保持し、かつ前記一つのストラップ要素末端部と前記マスクの装着面との間で結合を保ったまま移動することが可能なマスクのマウント材と、
前記一つのストラップ要素末端部を前記マウント材に固定する止め具と、
収縮して前記初期位置となり、前記マスクを前記使用者の顔面に密着するよう引き寄せる時に、前記止め具との固定を選択的に解除し、前記一つの要素末端部と前記マスクの装着面との相対位置を多数の位置のうちのいずれにも調節することができる調節装置とからなり、
前記止め具がストラップ要素末端部を前記マウント材上の多数の位置のいずれの位置にも固定可能な止め具であって、
前記マウント材がストラップ要素が膨張収縮サイクルを受ける際に、サイクル前の前記ストラップ要素末端部の位置に関係なく、前記ストラップ要素を前記初期位置に再び戻すことができる機構を含む呼吸装置。
【請求項２】
前記ストラップ末端部を保持するためのマウント材のいずれもがストラップ要素末端部と前記マスク装着面との間の結合を保ったまま移動することが可能なマウント材である請求項１の呼吸装置。
【請求項３】
前記マウント材が前記マスクに定置保持された細長い筒状体であって、前記筒状体の少なくとも一部がストラップ要素の内部で同軸方向になるよう配置されており、前記一つのストラップ要素末端部がマウント材の長手方向に沿って移動可能である請求項１の呼吸装置。
【請求項４】
前記マスクに前記呼吸用ガスを供給するためのレギュレータが機能的に結合しており、前記レギュレータから前記呼吸用ガスを供給して前記ストラップ要素を膨張させるためのガスの通路として、前記筒状体を前記レギュレータに機能的に結合させた請求項３の呼吸装置。
【請求項５】
前記一つのストラップ要素末端部内部に同末端部と隣接するよう設置されたハウジングを含み、前記筒状体が前記ハウジングを貫いて前記ストラップ要素の閉じ込め部分の中へと伸びており、前記止め具が前記筒状体上に置かれ、かつ前記ハウジングとかみ合わせることが可能な摩擦式ロックである請求項３の呼吸装置。
【請求項６】
前記ハウジング内に置かれ、かつ前記筒状体を取り巻くように配置された一対の対向する環状シールを含み、前記シールのうち一つが前記ハウジング内に、前記ハウジングと共に移動可能な状態で配置され、前記シールのうち他の一つが前記筒状体と共に移動できるよう筒状体に固定され、前記シールによって前記ハウジング内に空洞部が仕切られ、前記空洞部には前記筒状体を貫通して筒状体内部と空洞部を連絡する開口部を有する請求項５の呼吸装置。
【請求項７】
前記空洞部との連絡において、前記ストラップ要素が膨張し、その後収縮した際に空洞部内部を予め設定された圧力条件にするための逃しオリフィスを含む請求項６の呼吸装置。
【請求項８】
前記ストラップ要素が大気圧に保たれている場合、前記一つのストラップ要素末端部と前記マスク装着面とが結合を保ったまま移動することが可能な請求項１の呼吸装置。
【請求項９】
前記一つのストラップ末端部が前記マウント材の縦方向に沿って少なくとも約１／２インチの距離を移動することが可能な請求項１の呼吸装置。
【請求項１０】
前記調節装置が前記使用者によって手動で固定可能な請求項１の呼吸装置。
【請求項１１】
前記止め具がばね式であり、前記使用者が前記調節装置を解除した際に、前記ストラップ要素末端部を固定するために止め具と調節装置が機能的に結合する請求項１の呼吸装置。
【発明の詳細な説明】
【０００１】
（発明の分野）
本発明は民間用または私用の航空機搭乗員が非常事態の際、一般的に使用するタイプの呼吸装置に広く関する。より具体的には、本発明は装着の際、始めは膨張し、かつ伸長することにより装着を容易にし、装着後は収縮することによりマスクが使用者の頭部にしっかり密着するよう引き寄せられる伸長可能な膨張式ストラップがマスクに結合しているフルフェースまたは部分フェースのマスクを有する呼吸装置に関し、本発明の呼吸装置はマスクが顔面を圧迫することによって生じる圧迫力（ｅｎｇａｇｅｍｅｎｔ  ｆｏｒｃｅ）を減らすよう調節できるようにすることにより、不快感なく装置を長時間に渡って装着するための装着感調節装置を含む。
【０００２】
（従来技術の説明）
米国特許３，５９９，６３６号明細書には、呼吸装置用の膨張可能な頭部ハーネスが開示されており、前記ハーネスは加圧空気供給用の弁と接続された内部導管を有する細長い伸長可能なハーネスまたはストラップに接続されたマスクからなる。弁を開放すると、ストラップ内の導管に供給された空気がストラップを伸長させ、ある程度定まった形状とする。これにより、使用者はマスクを片手で保持し、膨張したストラップを後頭部に導くことができる。これは片手のみ使用可能な非常事態下の航空機搭乗員にとって特に有用な特徴である。
【０００３】
米国特許３，５９９，６３６号明細書に開示された呼吸装置用ハーネスは、一度頭上に装着するとストラップが収縮し長さが短縮する。その後、収縮したストラップは固有の弾力性により、マスクを装着者の顔面の鼻および口部分に密着させ、それらの周辺からの吸引用ガスの漏洩を防止する。
【０００４】
通常、航空機が機内高度海抜４万フィート以上を飛行する際、航空機搭乗員用マスクは肺に空気を強制的に送り込むため、加圧状況下に置かれている。そのため、このような高度での飛行時、顔面からマスクを引き離そうとする酸素の圧力に打ち勝って、マスク周縁部シールからの酸素の漏洩を防止するため、ストラップにはマスクを顔面に押し付ける方向に比較的大きなバイアス力が（ｂｉａｓｉｎｇ  ｆｏｒｃｅ）生じている必要がある。
【０００５】
しかし、海抜４万フィート未満の機内では、マスク内空間を加圧呼吸状況に置く必要がなく、レギュレータは使用者の吸入という呼吸による要求によってのみ酸素富化した空気混合物が供給されるように稼動する。
【０００６】
一般に、飛行時間の実質大部分は海抜４万フィート未満での飛行である。しかし、搭乗員が１名のみである場合のように常時呼吸用マスクの装着が義務付けられる状況が多々ある。したがって加圧呼吸状況が不要な低高度の場合で、呼吸装置の常時装着が義務付けられる状況ではストラップには通常、かなりのバイアス力が存在しており、ハーネスストラップはかなりの不快の原因となる。
【０００７】
米国特許５，０３６，８４６号明細書には、空気圧による装着感調節機能を備えた膨張可能なハーネス型搭乗員用酸素マスクが開示されている。この膨張度合いの調節手段は、ストラップが伸長した高圧位置と収縮した低圧位置との間で、膨張式ストラップ内の圧力を調節し、維持することができる。同様に、米国特許５，６２３，９２３号および５，５０３，１４７号明細書には、使用者が快適な装着感を得ることができるよう使用時にストラップを選択的に膨張または収縮することができる膨張式ストラップの装着感調節装置が開示されている。
【０００８】
これら先行例の装着感調節装置の問題は、それらの調節機構に由来する。すなわち、それらの調節方法はストラップ内の圧力状態を調節することに依存しているが、ストラップ部品に大規模な漏洩が発生した場合、装着感調節機能が操作不能になる恐れがあるという問題を有している。
【０００９】
従って、呼吸装置装着時にストラップの部分的な膨張または収縮を伴うことなく、装着感を調節することが可能な膨張式呼吸装置の一部をなす改善させた装着感調節装置への需要が存在している。好ましくは、そのような改善された装着感調節装置は、ストラップが完全に収縮し、実質的に大気圧下にあるような状況においても所望の装着感調節を行えることが望ましい。
【００１０】
（発明の開示）
本発明は、先に概略を述べた問題を解決し、膨張式ハーネス呼吸装置用の改善された装着感調節装置を提供する。大まかに言うと、本発明の呼吸装置は使用者の顔面に密着させるための装着面を与えるマスクを含み、マスク内に呼吸用の加圧ガスを供給するための手段を有する。マスクはさらに、マスクと機能的に結合する一対の末端部を持つ伸長可能で、かつ選択的に膨張収縮することができるストラップが取り付けられている。ストラップは膨張時、使用者の頭上に容易に装着できるよう拡大された形状となり、収縮時は使用者の頭部を締め付け、それによりマスクが使用者の顔面に密着するように引き寄せられる。装着感調節装置は使用者の顔面に対するマスクの圧迫力を減少させる。この装着感調節装置はストラップの少なくとも一つを機能的に保持し、ストラップの末端部とマスクの装着面との間で結合を保ったまま移動することが可能なマスクのマウント材よりなる。さらに、マスクの装着面に対応した選択された部位において、末端部をマウント部材に固定する止め具を有する。図示されているように、好ましい形態ではストラップが完全に収縮されている場合にそのような結合を保った状態での移動が起こる。
【００１１】
好ましくは、ストラップは両方の末端部で対応するマウント部材に調節可能な状態で保持されるように取り付けられる。これにより、ストラップの片側または両側の部品が調節できる。
【００１２】
取り付け部材は細長い筒状体で膨張式ストラップの末端部に固定された対応するハウジングアセンブリの内側で同軸方向に配向する様都合良い向きに固定されている。この形態において、ストラップの末端部は、末端部とマスクの装着面との間の距離を変えるため、マウントの長手方向に沿って同軸方向に調節可能である。加えて、固定された筒状マウントはストラップの膨張収縮のための手段として作用するようにマスクのレギュレータが取り付けてある。各々のハウジングアセンブリは対応するストラップ末端部に固定された細長い筒状のハウジングを含む。ハウジング内には環状で、対向している１組のシール（前部シール、後部シール）が設置されており、これらにより空洞部が仕切られている。シールのうち一方は、ハウジング内を移動可能であり、他の一方は筒状マウントに固定されている。前部シールと後部シールの間の壁面には開口部が設けられている。ストラップの膨張時、ハウジングおよびストラップ末端部は筒状ハウジングの長手方向に沿って通常位置または初期位置まで移動し、空洞部はストラップと共に加圧される。ストラップが実質的に周囲の内圧まで収縮すると、空洞部も排気される。そのうえ、ハウジングアセンブリおよびストラップに取り付けてある末端部は筒状マウントの長手方向に沿って手動で調節可能である。これはストラップの内寸法を効果的に増加させ、使用者の顔面へのマスクの装着圧を減少させる。
【００１３】
他の態様において、マスクの装着面がストラップの末端部に関連して予め設定された中間位置に位置するように作用する類似の装着感調節装置が提供される。この調節機構では、ハウジングに通常時はばね入りシールで閉止されている逃し弁（放出孔）が取り付けられている。ストラップの膨張時、ハウジングの空洞部はその内圧がばね式シールを克服して加圧されたガスが空洞部から大気中へと放出され始めるまで加圧される。ストラップの収縮時、ハウジングの空洞部は加圧状態を維持する。
【００１４】
（好ましい実施態様）
図面、特に図１に関して、本発明による呼吸装置１０が図示されている。大まかにいって装置１０は、膨張式ハーネスアセンブリ１４と、使用者の顔面に対するマスクの圧迫力を軽減させる調節アセンブリ１６を備えたマスク１２を含む。
【００１５】
より具体的には、マスク１２は使用者の鼻および口を取り囲むかたちで使用者の顔面を圧迫するよう作用する装着面２０を形づくる幾分弾力性のある縁部リップを形成する合成樹脂本体１８を含む。マスク１２にはまた、本体１８の閉じ込め部に呼吸用ガス混合物を供給するために、供給されてくる加圧された呼吸用ガス（通常は酸素）を大気と混合するよう設計されたレギュレータ２２も取り付けられている。本レギュレータは、参照文献として本明細書に含まれる米国特許第５，３０７，７９３号明細書に開示されているタイプのものである。ガスライン２４は、図示されているように、レギュレータ２２にしっかり固定され、他端は従来のガス供給源に接続される。ハーネス膨張ボタン２５もまた、レギュレータ２２の一部として付属している。
【００１６】
ハーネスアセンブリ１４は細長い筒状の膨張式ストラップ要素２６を含み、ストラップ要素２６は後述するようにマスク１２に機能的に結合する一対の末端部２８および３０を有する。いくぶんＵ字型をしたストラップ３２は、図示するようにストラップ２６の反対側で結合し、装着者の頭上に広がるよう設計されている。第二のストラップ３４は、ストラップ３２の頂部から伸び、ストラップ２６要素の後部に固定される。ストラップ要素２６は、伸長可能な合成樹脂材料製であり、伸長してハーネスアセンブリを使用者の頭上に容易に装着できるよう拡大された形状をとるため選択的に膨張可能である。ストラップ要素２６の収縮時、ハーネスアセンブリは収縮することで使用者の頭部を締め付け、それによってマスク、特にその装着面が使用者の顔面を圧迫する。この種のストラップ要素は、例えば参照文献として本明細書に組み入れられている米国特許４，９１５，１０６号明細書において既知である。
【００１７】
装着感調節装置１６は、図示するように、レギュレータ２２から伸びる一対の細長い筒状の金属（アルミニウム）マウント３６と、ストラップ要素２６の両末端部２８および３０で保持されるハウジング３８（図２〜図４参照）を含む。特に図２〜図４に関して、各々のアセンブリ３８は  細長い筒状の金属ハウジング４０を含む。ハウジング４０は一体式の環状ストッパ壁４６を内側に敷延すると共に、対向する前端４２および後端４４を与える。図示するように、対応する筒状マウント３６はハウジングを長手方向に同軸状に貫いてストラップ要素２６の閉じ込め部の中へと伸びる。ハウジング４０の前端はストッパ壁４６の前面に接する環状のＤｅｌｒｉｎ座金またはブッシング４８を含む。コイルばね５０はブッシング４８のストッパ壁４６から離れた面と固定されている。三枚の独立した環状の止め具用座金５２は、コイルばね５０の先端とかみ合っている。図から明らかなように、ばね５０および座金５２は、各々筒状マウント３６を滑動受けしている。しかし、止め具用座金５２は、比較的中央開口部が大きく、マウント３６上を限られた度合いで振動することができ、傾斜が付いた状態での固定位置となる。ピン５４はエンド４２近くのハウジング４０の側壁を貫いて取り付けられ、最も前方に位置する止め具座金５２とかみ合っており、それによりピン壁面４６との間で、マウント３６、止め具用座金５２、ばね５０およびブッシング４８を保持している。
【００１８】
ハウジング４０の中央部には、ストッパ壁４６から後方を区切っている固定したＤｅｌｒｉｎブッシング５６が与えられている。図示するように、壁４６とブッシング５６の間には環状をした前部弾性シールが置かれている。ハウジング４０の後端にはハウジング本体に固定されたＤｅｌｒｉｎ後部シールを有する。シール６０は、その後端に拡大された、不規則な環状の緩和区域を有し、該緩和区域は追加の環状弾性シール６４を収容している。
【００１９】
特にマウント３６に関して、その側面に開口部を有し、さらに、その外側面に形成される隣接の緩和区域６８を有する。マウント３６は開口部６６および緩和域６８の後方にＤｅｌｒｉｎブッシング７０を有し、結合器７２を介してブッシング７０を固定している。環状の後部弾性シール７４は、緩和区域６８の前側ショルダーにかみ合う形で据え付けられている。そのようにしてブッシング７０およびシール７４はマウント３６に固定され、一斉に移動する。図２で最もよく観察されるように、空洞部７５はシール５８および７４の間で仕切られる。
【００２０】
ストラップ要素２６の末端部２８および３０は、対応するハウジング４０にクリンプフェルール７６または他の手段により固定される。そのようにしてハウジング４０およびそれに結合された構成部分は、ストラップ要素２６に効果的に固定される。
【００２１】
環状の調節ボタン７８は、ハウジング４０の前端に滑動固定される。特にボタン７８は前端４０を受けるための環状の凹部を有する。ボタンの側壁はピン５４を収容するスロット８２を有し、それによりボタンの移動ストロークを定めている。環状のボタン内壁８４はマウント３６を滑動受けし、環状の末端部８６を与える。
【００２２】
図１〜図４の形態の使用は、マスクが通常は搭乗員の座席隣の収納箱である準備位置に保管されていると仮定すると、以下のように進行する。収納時、ストラップ要素２６の両末端部２８および３０は、対応するマウント３６に滑動取り付けされており、止め具用の座金５２を介して解除可能な状態で固定されている。使用者は始めにマスクをつかみ、減圧ボタンを押しながら保管箱から取り出す。これにより加圧された酸素がレギュレータを通して流れ、そこからマウント３６へと流れる。これによりハーネス２６が完全に膨張し、使用者の頭上に容易に装着することが可能な拡大された位置となる（図２〜図４参照）。しかし、これと同時に、加圧された酸素は開口部６６を通って空洞部７５へと流れこみ、空洞部７５を加圧する。これにより，図４に見られるようにハウジング４０が左側へと移動し、筒状マウント３６と止め具用座金５２との間の摩擦によるかみ合いは、座金が垂直の状態である解放位置に移動してハウジングが自由に移動できるようになる。この状態では、アセンブリ３８は図２に示した通常位置となる。
【００２３】
ストラップが膨張している状態でマスクを装着した後、使用者はボタンを放す。これによりストラップ要素内の酸素は筒状マウント３６中を酸素が逆流し、レギュレータを通じて大気中へ排気されることによりストラップ要素２６は中程度の収縮状態となる。このシーケンス時、空洞部７５内部の酸素もまた、開口部６６を介して排気される。そのため、ストラップ要素２６および空洞部７５は実質的に大気圧となり、図２に示すようにシール５８とシール７４との間の距離が広がり、ストラップ要素２６はマウント３６との相対関係において、マウント３６がストラップ要素の閉じ込め部の中へと都合良く伸長するよう移動する。
【００２４】
初期の収縮状態において、ストラップ要素は使用者の頭部に非常にしっかりと密着し、不快感を与える程度であることが好ましい。より快適な装着感を得るために使用者は図４に最もよく示されているように、その後随意に押し下げて良い。こうすることにより壁面８４の末端部８６が、傾いた状態になっている座金５２と接するようになり、座金をマウントに対してより直交した位置へと移動させ、マウントとの摩擦によるかみ合いが解除される。さらにボタンを押し下げると、ばね５０が圧縮され、ハウジング４０およびストラップ要素２６の末端部３０を筒状マウント３０の長手方向に沿って平行移動させる。これはハーネスの寸法を効果的に増加させ、すなわち末端部３０と装着面との間の相対距離を変化することにより、マスク１２の装着面２０による顔面への圧迫力を減少させる。ボタン７８を放すと、ばね５０がボタンを開始時の位置に戻し、止め具用の座金５２が傾斜した状態である固定位置に再び戻ることが好ましい。結果的にストラップ要素２６の有効寸法は予め設定された範囲内で所望の度合いに増加させることができ、それにより使用者の顔面にかかるマスクの圧迫力を本質的には無限大に調節することができる。
【００２５】
もちろん、ストラップ要素２６の末端部２８と３０のうち、いずれか片側もしくは両側もまた、対応するマウント３６の長手方向に沿って調節できることが好ましい。これは装置１０によって与えられる調節の範囲を効果的に増幅させる。一般に、ストラップ要素２６の各々の末端部は、対応するマウント３６に沿って、少なくとも約１／２インチ、より好ましくは約３／４インチの距離を平行移動することができる。
【００２６】
図３は、最大伸長位置にある調節装置１６を示しており、この状態ではシール５６および７４の間に開口部６６が見られる。それによりレギュレータ２２の隔膜を介してのストラップ要素２６の膨張時、シール５８および関連構造物はアセンブリ３８が図２に示す通常位置になるまで左方向に移動する。それにより、ストラップアセンブリ３８が対応するマウント３６に対しいずれの位置であるかにかかわらず、ストラップ２６の膨張時にはアセンブリ３８は各々、図２に示す通常位置に再設定される。
【００２７】
図５は、ストラップ２６の両末端部に関し、改良されたハウジングアセンブリ８８を使用する本発明の別の実施形態を示す。図１〜図４の実施形態に関して、各々のアセンブリ８８は、ストラップ２６の末端部フェルール７６により固定される筒状のハウジング９０を含む。ハウジング９０は前端９２と、対向する後端９４とを有する。前端９２は外側にねじ切られており、環状キャップ９６が取り付けられる。
【００２８】
前端９２は、垂直の逃し通路１００に通じている環状の逃し通路９８を与えるよう配置される。環状の金属ブッシング１０２は、隣接する通路９８に保持され、環状で、かつコップ状のシール受け１０４に隣接している。ブッシング１０２の後側の面と通路９８との間には狭い隙間が与えられている。環状の弾性シール１０６はシール受け１０４内に置かれている。通路１００はキャップ９６とハウジング９０の前端１０９との間の空隙または区域である１０８へと通じている。Ｏリング１１０は周囲にある通路９８に関連して、末端部１０９の反対側に位置する。図示するように、環状ブッシング１１２はＯリング１１０および末端部１０９とかみ合っている。ばね１１４はキャップ９６とブッシング１１２との間の区域に位置している。ブッシング１１２に対するばね１１４のかみ合い力は、Ｏリング１１０を圧縮してシールを形成する作用をし、通常通路１１０を通じてのガスの漏洩を防ぐ。区域１０８と連絡しているキャップ９６の壁面を通して酸素逃し用の開口部が設けられている（図示されていない）。
【００２９】
ハウジング９０の後端には、先に記述したシール６２と類似のシール１１６が装着されており、シール１１６は図示するように、マウント３６とかみ合っている環状のシーリング用弾性インナーリング１１８を保持する。ブッシングユニット１２０は要素３６に固定され、環状の弾性ニアシール（ｎｅａｒ  ｓｅａｌ）１２２を保持する。シール１２２は、マウント３６上に与えられた緩和区域１２４の前方ショルダーとかみ合いによって保持されている。開口部１２６は区域１２４でマウント３６の壁面を貫通して設けられる。空洞部１２６はそれにより、シール１２２とハウジング９０の前端９２との間に形成される。
【００３０】
図５の実施形態の使用は、先に示した第一の実施形態と全く同様に初期段階が進行する。すなわち、使用者はマスク本体をつかみ、ボタン２５を押すことで加圧された酸素をマウント３６を通じて流れさせ、ストラップ要素２６を膨張させる。同時にそのような加圧酸素は開口部１２６を通じて流れ、空隙１２８を加圧する。これによりハウジング９０およびストラップ要素の末端部３８は、図５に示すように、空洞部１２８内の圧力がブッシング１１２およびＯリング１１０に対するばね１１４のかみ合い力により予め設定された最大設定値を超えるまで左方向に移動する。この最大圧力を超過すると、酸素は通路１００を通じて、続いてキャップの逃し開口部を通じて大気中に逃げ始める。これによりマウント３６に対するハウジング９０および末端部３８のさらなる移動が防止される。ストラップ要素２６の収縮時、空洞部１２８は加圧状態を維持している。
【００３１】
図５に示した呼吸装置の使用時、空洞部１２８は加圧状態を維持し、マスクに関し快適な位置が保たれている。アセンブリ８８に関するばねのかみ合い力を一度設定した後、図５の実施形態はさらに調整可能ではないことが好ましい。
【００３２】
上記の実施形態のいずれもが、ストラップ要素２６が完全に収縮した状態にある場合、マスクの装着面と使用者の顔面との間の圧迫力が無期限に快適な状態であることが好ましい。そのため、ストラップ２６からの漏洩は装着感調節を維持する上での要因ではない。
【００３３】
使用者が呼吸装置１０の取り外しを望んだ場合、ボタン２５を再度押し込むと、ストラップ要素が完全に膨張し、装置１０を容易に取り外すことができる。この時点でストラップ要素２６は再度収縮され、収納の準備ができた状態となる。
【図面の簡単な説明】
【図１】  本発明による好ましい呼吸装置の透視図である。
【図２】  マウント構造物を通常位置に示した膨張式ハーネスストラップの末端部の製造および図１に示す呼吸装置のマスクへの取り付けを例示した拡大断面図である。
【図３】  図２と同様であるが、マウント構造物の位置を最大伸長位置で示した図である。
【図４】  図２と同様であるが、マスクの装着面に関連して調節された膨張式ハーネスストラップの末端部の調節機構を示す図である。
【図５】  本発明の別の実施の形態を示した図であり、膨張式ハーネスストラップの製造および取り付けを例示している。
【図１】
0004031907.tif 000002
【図２】
0004031907.tif 000003
【図３】
0004031907.tif 000004
【図４】
0004031907.tif 000005
【図５】
0004031907.tif 000006